(57)【特許請求の範囲】
【請求項１】
向き可変式の撮像レンズ部を備えるカメラであって、前記撮像レンズ部の向き可変動作に対応してストロボ発光部の向きがカメラ本体に対して可変動作するストロボ発光部と、前記ストロボ発光部の周囲を覆う固定のストロボレンズと、撮影画像表示用のモニタ部とが備えられており、前記ストロボレンズは、前記モニタ部の表示画面と同方向に向く部分が、外部に照射する光の状態を変えるようになっていること、を特徴とするストロボ付きカメラ。
【請求項２】
前記撮像レンズ部と前記ストロボ発光部は、前記カメラ本体に対し同軸上を一体的に回転自在に組み付けられていること、を特徴とする請求項１記載のストロボ付きカメラ。
【請求項３】
前記撮像レンズ部は、前記カメラ本体に対し回転自在に組み付けられていて、前記ストロボ発光部が前記カメラ本体に対し回転自在に組み付けられており、前記撮像レンズ部の回転状態を検出する検出手段と、前記ストロボ発光部を回転駆動する駆動手段と、手動操作による前記撮像レンズ部の回転状態の前記検出手段による検出に基づき、同期して前記ストロボ発光部を前記駆動手段により回転駆動させる制御手段と、を備えたこと、を特徴とする請求項１記載のストロボ付きカメラ。
【請求項４】
前記撮像レンズ部は、前記カメラ本体に対し回転自在に組み付けられていて、前記ストロボ発光部が前記カメラ本体に対し回転自在に組み付けられており、前記撮像レンズ部の回転軸と前記ストロボ発光部の回転軸との間に介設され、手動操作による前記撮像レンズ部の回転に連動して前記ストロボ発光部を同期して回転させる連動機構を備えたこと、を特徴とする請求項１記載のストロボ付きカメラ。
【請求項５】
前記ストロボレンズの前記光の状態を変える部分は、他の部分よりも光を微細に拡散する形状に形成されていること、を特徴とする請求項１記載のストロボ付きカメラ。
【請求項６】
前記ストロボレンズの前記光の状態を変える部分は、他の部分よりも光を透過しにくくする肉厚形状に形成されていること、を特徴とする請求項１記載のストロボ付きカメラ。
【発明の詳細な説明】
【０００１】
【発明の属する技術分野】
本発明は、向き可変式の撮像レンズを備えたストロボ付きカメラに関するものである。
【０００２】
【従来の技術】
ストロボ付きカメラにおいて、撮像レンズ部の光軸方向の駆動に対応してストロボ発光部の照射角を可変とし、即ち、広角レンズや望遠レンズにした時にストロボ発光部の照射角を変えて、撮像レンズ部の画角に合わせるようにしたものがある。
また、近年普及している電子スチルカメラでは、カメラ本体に対し撮像レンズ部を回転可能に組み付けて、撮像レンズの向きを可変としたものが多い。
このような向き可変式の撮像レンズ部を備えたカメラにおいて、ストロボを備えたものがあり、従来、そのストロボは、カメラ本体側ではなく、撮像レンズ部を有する回転ブロックに固定式のものであった。
【０００３】
【発明が解決しようとする課題】
従来のように、撮像レンズ部を有する回転ブロックにストロボを設けていた理由は、例えば、カメラ本体側にストロボを設けた場合、撮像レンズ部が正面を向いている場合には、正面向きのストロボの照射範囲であるから、ストロボの機能を得られるが、撮像レンズ部が上や下や後ろを向いていたりすると、正面のみに向き固定のストロボの照射範囲外となってしまうため、ストロボの機能が得られなくなるためである。
従って、撮像レンズ部を有する回転ブロックにストロボを組み込んでいたが、回転ブロックはその回転操作性のために軽量化並びに小型化が要求されており、軽量化・小型化の推進の面からは、回転ブロック側にストロボを実装しづらいという問題がある。
【０００４】
本発明の課題は、撮像レンズ部を向き可変に備えるストロボ付きカメラにおいて、撮像レンズ部の向きの変化に追従したストロボの照射機能が得られるようにすることである。
【０００５】
【課題を解決するための手段】
以上の課題を解決すべく請求項１記載の発明は、向き可変式の撮像レンズ部を備えるカメラであって、前記撮像レンズ部の向き可変動作に対応してストロボ発光部の向きがカメラ本体に対して可変動作するストロボ発光部と、前記ストロボ発光部の周囲を覆う固定のストロボレンズと、撮影画像表示用のモニタ部とが備えられており、前記ストロボレンズは、前記モニタ部の表示画面と同方向に向く部分が、外部に照射する光の状態を変えるようになっていること、を特徴としている。
【０００６】
ここで、撮像レンズ部は、例えば、ＣＣＤに焦点を合わせたものが挙げられるが、光学系のみからなるものでも良く、また、向き可変式としては、前方、上方及び後方を向くものの他、側方や下方を向くようにしたものでも良い。
ストロボは、発光管及び反射板からなるストロボ発光部を有するもので、このストロボ発光部がストロボレンズの内部に収納される。
カメラとしては、撮像レンズ部の焦点をＣＣＤに合わせた電子スチルカメラが挙げられるが、アナログカメラでデジタル変換式のカメラであっても良い。
また、モニタ部は、液晶表示パネルが代表的であるが、他の表示手段によるものでも良く、また、再生画像表示用としても使用されるが、少なくとも撮影画像表示用であれば良い。なお、光の状態を変えるとは、光を減衰させたり、光を拡散させること等をいう。
【０００７】
以上のように、請求項１記載の発明によれば、撮像レンズ部の向き可変動作に対応してストロボ発光部の向きがカメラ本体に対して可変動作するストロボ発光部と、カメラ本体と相対的に移動しないストロボレンズと、を備えたカメラなので、撮像レンズ部の向きの変化に追従して、ストロボ発光部からの光を、カメラ本体と相対的に移動しないストロボレンズを介し被写体に向けて照射させられる。
また、カメラ本体に固定されてストロボ発光部の周囲を覆うストロボレンズの、撮影画像表示用のモニタ部の表示画面と同方向に向く部分が、外部に照射する光の状態を変えるようになっているカメラなので、撮像レンズ部を操作者側に向けて、モニタ部の表示画面を見ながら操作者自らを撮影する際に、ストロボ発光部からの光がストロボレンズにより光の状態を変えて外部に照射される。
従って、近くを撮影する場合、即ち、自分撮りの際のストロボ照射光の質が、ソフトな光にできる等、適切に調整される。
【０００８】
請求項２記載の発明は、
請求項１記載のストロボ付きカメラであって、
前記撮像レンズ部と前記ストロボ発光部は、前記カメラ本体に対し同軸上を一体的に回転自在に組み付けられている構成、
を特徴としている。
【０００９】
このように、請求項２記載の発明によれば、請求項１記載の撮像レンズ部とストロボ発光部が、カメラ本体に対し同軸上を一体的に回転自在に組み付けられたカメラなので、撮像レンズ部とストロボ発光部が一体的に同軸上を回転することによって、撮像レンズ部の向きの変化に同期して、ストロボ発光部を被写体に向けられる。
【００１０】
請求項３記載の発明は、
請求項１記載のストロボ付きカメラであって、
前記撮像レンズ部は、前記カメラ本体に対し回転自在に組み付けられていて、前記ストロボ発光部が前記カメラ本体に対し回転自在に組み付けられており、
前記撮像レンズ部の回転状態を検出する検出手段と、
前記ストロボ発光部を回転駆動する駆動手段と、
手動操作による前記撮像レンズ部の回転状態の前記検出手段による検出に基づき、同期して前記ストロボ発光部を前記駆動手段により回転駆動させる制御手段と、
を備えた構成、
を特徴としている。
【００１１】
このように、請求項３記載の発明によれば、カメラ本体に対し回転自在に組み付けた、請求項１記載の撮像レンズ部の回転状態を検出する検出手段と、カメラ本体に対し回転自在に組み付けた、請求項１記載のストロボ発光部を回転駆動する駆動手段と、検出手段による撮像レンズ部の回転状態の検出に基づき、同期してストロボ発光部を駆動手段により回転駆動させる制御手段と、を備えたカメラなので、手動により撮像レンズ部を回転させると、その回転状態の検出結果に従って、同期してストロボ発光部を撮像レンズ部と同じ向きに回転させられる。
【００１２】
請求項４記載の発明は、
請求項１記載のストロボ付きカメラであって、
前記撮像レンズ部は、前記カメラ本体に対し回転自在に組み付けられていて、前記ストロボ発光部が前記カメラ本体に対し回転自在に組み付けられており、前記撮像レンズ部の回転軸と前記ストロボ発光部の回転軸との間に介設され、手動操作による前記撮像レンズ部の回転に連動して前記ストロボ発光部を同期して回転させる連動機構を備えた構成、
を特徴としている。
例えば、連動機構としては、歯車機構が挙げられるが、他の構成のものでも良い。
【００１３】
このように、請求項４記載の発明によれば、カメラ本体に対し回転自在に組み付けた、請求項１記載の撮像レンズ部の回転軸と、カメラ本体に対し回転自在に組み付けた、請求項１記載のストロボ発光部の回転軸との間に、手動操作による撮像レンズ部の回転に連動してストロボ発光部を同期して回転させる連動機構を介設したカメラなので、手動により撮像レンズ部を回転させると、その回転軸から連動機構を介してストロボ発光部の回転軸に回転が伝達され、同期してストロボ発光部が撮像レンズ部と同じ向きに回転する。
【００１４】
請求項５記載の発明は、請求項１記載のストロボ付きカメラであって、前記ストロボレンズの前記光の状態を変える部分は、他の部分よりも光を微細に拡散する形状に形成されている構成、を特徴としている。
【００１５】
このように、請求項５記載の発明によれば、請求項１記載のストロボレンズの光の状態を変える部分が、他の部分よりも光を微細に拡散する形状に形成されたカメラなので、自分撮りの際に、ストロボ発光部からの光をストロボレンズの拡散形状部により微細に拡散させて、操作者自身へのストロボ照射をソフトな光にできる。
【００１６】
請求項６記載の発明は、請求項１記載のストロボ付きカメラであって、前記ストロボレンズの前記光の状態を変える部分は、他の部分よりも光を透過しにくくする肉厚形状に形成されている構成、を特徴としている。
【００１７】
このように、請求項６記載の発明によれば、請求項１記載のストロボレンズの光の状態を変える部分が、他の部分よりも光を透過しにくくする肉厚形状に形成されたカメラなので、自分撮りの際に、ストロボ発光部からの光をストロボレンズの肉厚形状部により外部に透過しにくくして、操作者自身へのストロボ照射をソフトな光にできる。
【００２０】
【発明の実施の形態】
以下に、本発明に係るストロボ付きカメラの実施の各形態例を図１から図９に基づいて説明する。
【００２１】
＜第１の実施の形態例＞
先ず、図１は本発明を適用した第１の実施の形態例としてのストロボ付きカメラを示すもので、撮像レンズ部を前方へ向けた状態を示した正面図であり、図２はストロボレンズ部分で縦断して概略構成を示した破断側面図である。
また、図３は撮像レンズ部を操作者側へ向けてモニタ部を開いた状態を示した背面図で、図４はストロボレンズ部分で縦断して概略構成を示した破断側面図である。
これらの図１から図４において、１はカメラ本体、２はモニタ部、３は液晶表示パネル、４はグリップ部、５は撮像レンズ部、６は回転部、７はストロボ、８はストロボレンズ、８ａはレンズ部、８ｂは光拡散部、９はストロボ発光部、９ａは発光管、９ｂは反射板である。
【００２２】
この実施の形態例において、本発明を適用するストロボ付きカメラは電子スチルカメラであり、図示のように、カメラ本体１に対し撮影画像及び再生画像表示用のモニタ部２を一側部で開閉可能に組み付けたものである。
モニタ部２は、液晶表示パネル３による表示画面を有している。
カメラ本体１は、図示のように、各種操作スイッチ等を有するとともに、右手で持つためのグリップ部４を有していて、上部には、中央の撮像レンズ部５及びその横隣のストロボ７が配設されている。
撮像レンズ部５は、カメラ本体１上部に対し横方向の水平軸線回りに回転自在に組み付けた回転部６に組み込まれている。
ストロボ７は、回転部６の横隣において、カメラ本体１に固定したストロボレンズ８の内部にストロボ発光部９を収納したもので、このストロボ発光部９は、回転部６と同軸上に一体に設けられていて、発光管９ａ及び反射板９ｂから構成されている。
【００２３】
従って、回転部６の端部６ａを手で回すことで、撮像レンズ部５及びストロボ発光部９が一体に回転する。
そして、ストロボ発光部９の前方、上方及び後方を覆う形状のストロボレンズ８は、図２に示すように、カメラ本体１のモニタ部２を備えた背面側を除く範囲Ａの内面が、内部のストロボ発光部９からの光を外部に有効に照射させるレンズ部８ａに形成されている。
また、このストロボレンズ８は、図４に示すように、カメラ本体１のモニタ部２を備えた背面側の範囲Ｂの内面が、ストロボ発光部９からの光を微細に拡散させる光拡散部８ｂに形成されている。この光拡散部８ｂにより、外部に照射する光が拡散され、即ち、外部に照射する光の状態が変化させられる。
なお、カメラ本体１には、撮像レンズ部５からの画像を取り込むための図示しないＣＣＤ（Charge Coupled Device：固体撮像素子）と、その撮影画像をデジタル情報化して記憶するための図示しない記憶回路並びに制御回路が内蔵されている。
【００２４】
次に、以上の電子スチルカメラの使い方について説明する。
先ず、操作者自身以外の人物や物や景色等、通常撮影と同様の「相手撮り」を行う場合は、回転部６を手で回して、図１に示したように、撮像レンズ部５を正面に向けた状態にする。
このように撮像レンズ部５を正面に向けた状態では、ストロボ発光部９が回転部６と同軸上に一体となっているため、ストロボレンズ８の内部において、図２に示したように、ストロボ発光部９（発光管９ａ及び反射板９ｂ）も正面を向いた状態となっている。
従って、撮影の際には、ストロボ７による被写体に対する照射が得られる。
このような被写体に対するストロボ７の照射機能は、正面だけに限らず、斜め下方や斜め前方から上方、さらに、斜め後ろ上方にかけて得られ、即ち、ストロボレンズ８のレンズ部８ａによって、カメラ本体１のモニタ部２を備えた背面側を除く範囲Ａで十分に得られる。
【００２５】
そして、操作者自身を撮影する「自分撮り」を行う場合には、回転部６を手で回して、図３に示したように、撮像レンズ部５を背面、即ち、操作者自身に向けた状態にする。
このように撮像レンズ部５を操作者側に向けると、ストロボレンズ８の内部において、図４に示したように、ストロボ発光部９（発光管９ａ及び反射板９ｂ）も同期して操作者側を向いた状態となっている。
即ち、ストロボ発光部９（発光管９ａ及び反射板９ｂ）は、ストロボレンズ８内面の光を微細に拡散させる光拡散部８ｂに対面状態となる。
従って、「自分撮り」の際には、この光拡散部８ｂにより、ストロボ発光部９から外部に照射する光の質が変えられて、近くを撮影する場合、即ち、操作者自身を撮影するに適切な光、即ち、ソフトな照射光が得られる。
【００２６】
＜変形例＞
図５及び図６は、ストロボレンズの変形例を示すもので、図２及び図４と同様の向きから見た破断側面図である。
即ち、この変形例では、ストロボ発光部９の前方、上方及び後方を覆う形状のストロボレンズ１０において、図５に示したように、カメラ本体１のモニタ部２を備えた背面側を除く範囲Ａの部分を、内部のストロボ発光部９からの光を透過して外部に有効に照射させる肉薄部１０ａに形成している。
そして、このストロボレンズ１０は、図６に示したように、カメラ本体１のモニタ部２を備えた背面側の範囲Ｂの部分を、ストロボ発光部９からの光を透過しにくくする肉厚部１０ｂに形成している。この肉厚部１０ｂにより、外部に照射する光が減衰され、即ち、外部に照射する光が変化させられる。
【００２７】
なお、その他、ストロボレンズのカメラ本体１のモニタ部２を備えた背面側の範囲Ｂの内面に反射膜を設けたり、ストロボレンズのカメラ本体１のモニタ部２を備えた背面側の範囲Ｂの部分を遮光部としても良い。
【００２８】
＜第２の実施の形態例＞
図７は本発明を適用した第２の実施の形態例としてのストロボ付きカメラを示すもので、撮像レンズ部を前方へ向けた状態を示した正面図であり、図８はストロボレンズ部分で縦断して内部を省略して示した破断側面図である。
そして、図９はストロボレンズと内部のストロボ発光部の構成を拡大して示すもので、図９（ａ）はストロボ発光部が前向きの状態、図９（ｂ）はストロボ発光部が上向きの状態、図９（ｃ）はストロボ発光部が下向きの状態をそれぞれ示した一部破断の側面図である。
これらの図７から図９において、１１はカメラ本体、１２はレンズブロック、１３は撮像レンズ部、１４はストロボ、１５はストロボレンズ、１６はストロボ発光部、１６ａは発光管、１６ｂは反射板、１６ｃは反射板ステイ、１７はレンズブロック回転軸、１８は回転検出手段、１９はパルスモータ（駆動手段）、２０，２１，２２は歯車である。
【００２９】
この実施の形態例も、本発明を適用するストロボ付きカメラは電子スチルカメラであり、図示のように、カメラ本体１１の側面部に対しレンズブロック１２を回転可能に組み付けたものである。
レンズブロック１２には、撮像レンズ部１３が組み込まれている。
そして、カメラ本体１１には、その背面側に図示しないモニタ部が設けられるとともに、上部のレンズブロック１２近傍部にストロボ１４が設けられている。このストロボ１４は、カメラ本体１１から前方に突出して、下方、前方、上方及び後方を覆う形状のストロボレンズ１５の内部にストロボ発光部１６を収納したもので、ストロボレンズ１５の左右両側面は閉塞されている。このストロボレンズ１５は、図示のように、前述した第１の実施の形態例と同様に、カメラ本体１１のモニタ部を備えた背面側を除く範囲の内面がレンズ部となっていて、カメラ本体１１のモニタ部を備えた背面側の範囲の内面が光拡散部となっている。
ストロボ発光部１６は、発光管１６ａ及び反射板１６ｂから構成されており、反射板１６ｂは、回転可能なもので、その回転中心を反射板ステイ１６ｃに支持されている。
【００３０】
以上において、カメラ本体１１の内部には、その側面部において、レンズブロック１２を回転自在とするために組み込んだ水平軸によるレンズブロック回転軸１７（図７に点線で示す）の回転状態を検出する回転検出手段１８（図７の点線部参照）を設ける一方、ストロボ発光部１６の反射板１６ｂを回転駆動する駆動手段であるパルスモータ１９（図７の点線部参照）を設けている。
このパルスモータ１９には、同じく図７に点線で示すように、そのモータ軸に駆動歯車２０を設けて、この駆動歯車２０及びこれに噛み合う図示しない歯車を介して反射板１６ｂを回転駆動するようになっている。
そして、カメラ本体１１に内蔵される図示しないＣＰＵによる制御手段によって、レンズブロック１２の手動回転による撮像レンズ部１３の向きに対応して、ストロボ発光部１６が撮像レンズ部１３と同じ向きになるよう構成する。
即ち、制御手段は、回転検出手段１８によるレンズブロック回転軸１７の回転状態の検出信号に基づいて、パルスモータ１９に駆動信号を出力し、駆動歯車２０及び不図示の歯車を介してストロボ発光部１６の反射板１６ｂを、その反射面が撮像レンズ部１３の向きと同じに向くまで回転する制御を行う。
【００３１】
以上の電子スチルカメラの使い方を次に説明する。
先ず、「相手撮り」を行う場合は、レンズブロック１２をカメラ本体１１と同じ向きに合わせた状態で撮像レンズ部１３を正面に向けたり、レンズブロック１２を手で回すことで、撮像レンズ部１３を上方や下方に向けたりする。
また、撮像レンズ部１３を正面に向けた状態で、レンズブロック１２に対してカメラ本体１１を手で回して使用することも可能である。
このようにカメラ本体１１とレンズブロック１２を相対回転させると、その時のレンズブロック回転軸１７の回転状態が回転検出手段１８により検出されて、その検出信号が制御手段に送られ、制御手段は、パルスモータ１９に駆動信号を出力して、駆動歯車２０及び不図示の歯車を介してストロボ発光部１６の反射板１６ｂを回転させる。
即ち、ストロボレンズ１４の内部において、ストロボ発光部１６の反射板１６ｂを、その反射面が撮像レンズ部１３の向きと同じに向くまで回転させる（図９（ａ），（ｂ）及び（ｃ）参照）。
従って、撮影の際には、ストロボ１４による被写体に対する照射が得られる。
なお、ストロボレンズ１５は、図８に示したように、カメラ本体１１から前方に突出しているため、下方へ向けてストロボ照射できるものである。
【００３２】
そして、「自分撮り」を行う場合には、レンズブロック１２を手で回して撮像レンズ部１３を背面の操作者自身に向けた状態にする。
このように撮像レンズ部１３を操作者側に向けると、その時のレンズブロック回転軸１７の回転状態の回転検出手段１８による検出信号に基づいて、制御手段がパルスモータ１９を駆動して、ストロボ発光部１６（発光管１６ａ及び反射板１６ｂ）も操作者側を向いた状態となる。
従って、「自分撮り」の際にも、ストロボ１４によるソフトな照射が得られる。
【００３３】
ところで、例えば、撮像レンズ部よりストロボが下側にあると、撮影の際に自然な画像になりにくい。
しかし、以上の第２の実施の形態例では、カメラ本体１１のモニタ部を備えた背面側／モニタ部のない正面側（モニタ部の反対側）のどちらを撮影するときも、ストロボ１４が撮像レンズ部１３より上に位置するので、良好な撮影ができる。
【００３４】
＜変形例＞
以上のようなレンズブロック１２の回転状態の検出に基づくストロボ発光部１６の追従回転させる方式に代えて、ストロボ発光部１６をレンズブロック１２と連動回転させる方式としても良い。
即ち、図７に点線で示すように、レンズブロック回転軸１７に歯車２１を設けて、この歯車２１に噛み合う歯車２２を設けるとともに、この歯車２２に噛み合う図示しない歯車を介して反射板１６ｂを連動回転させる構成とする。
これにより、前述したカメラ本体１１とレンズブロック１２を相対回転に連動して、撮像レンズ部１３と同じ向きにストロボ発光部１６が同期して向くものとなる。
【００３５】
ところで、以上の説明では、撮像レンズ部の向きにストロボ発光部が常に追従するものとしたが、ストロボ使用モードとストロボ不使用モードとが選択可能なモード切替スイッチを設けても良い。
このようにストロボ用のモード切替スイッチを設けて、ストロボを使う必要のない場合には、ストロボ発光部を撮像レンズ部の回転に追従させない固定のものとしても良い。
【００３６】
なお、以上の実施の各形態例においては、電子スチルカメラとしたが、本発明はこれに限定されるものではなく、他に、アナログカメラでデジタル変換による画像記録機能とモニタによる画像再生機能を兼備するカメラであっても良い。
また、各部の具体的な構造やデザイン等も任意であり、その他、具体的な細部構造等についても適宜に変更可能であることは勿論である。
【００３７】
【発明の効果】
以上のように、請求項１記載の発明に係るストロボ付きカメラによれば、撮像レンズ部の向き可変動作に対応してストロボ発光部の向きがカメラ本体に対して可変動作するため、撮像レンズ部の向きの変化に追従して、ストロボ発光部からの光を、カメラ本体と相対的に移動しないストロボレンズを介し被写体に向けて照射させることができる。
また、カメラ本体に固定のストロボレンズにおいて、撮影画像表示用のモニタ部の表示画面と同方向に向く部分が、外部に照射する光の状態を変えるようになっているため、撮像レンズ部を操作者側に向けて、モニタ部の表示画面を見ながら操作者自らを撮影する際において、ストロボ発光部からの光がストロボレンズにより光の状態を変えて外部に照射されることによって、近くを撮影する場合、即ち、自分撮りの際のストロボ照射の光の質をソフト光にできる等、適切に調整することができるといった利点が得られる。
【００３８】
請求項２記載の発明に係るストロボ付きカメラによれば、撮像レンズ部とストロボ発光部を、カメラ本体に対し同軸上を一体的に回転自在に組み付けたため、請求項１記載の発明により得られる効果に加えて、撮像レンズ部とストロボ発光部の一体的な同軸上回転によって、撮像レンズ部の向きの変化に同期して、ストロボ発光部を被写体に向けることができるといった利点が得られる。
【００３９】
請求項３記載の発明に係るストロボ付きカメラによれば、撮像レンズ部の回転状態を検出する検出手段、ストロボ発光部を回転駆動する駆動手段、撮像レンズ部の回転状態の検出に基づき、同期してストロボ発光部を回転駆動させる制御手段を備えたため、請求項１記載の発明により得られる効果に加えて、手動により撮像レンズ部を回転させると、その回転状態の検出結果に従って、同期してストロボ発光部を撮像レンズ部と同じ向きに回転させることができるといった利点が得られる。
【００４０】
請求項４記載の発明に係るストロボ付きカメラによれば、撮像レンズ部とストロボ発光部の両回転軸の間に連動機構を介設したため、請求項１記載の発明により得られる効果に加えて、手動により撮像レンズ部を回転させると、連動機構を介し同期してストロボ発光部を撮像レンズ部と同じ向きに回転させることができるといった利点が得られる。
【００４１】
請求項５記載の発明に係るストロボ付きカメラによれば、ストロボレンズの光の状態を変える部分を、他の部分よりも光を微細に拡散する形状に形成したため、自分撮りの際において、ストロボ発光部からの光をストロボレンズの拡散形状部により微細に拡散させて、請求項１記載の発明のように、操作者自身へのストロボ照射をソフトな光にすることができる。
【００４２】
請求項６記載の発明に係るストロボ付きカメラによれば、ストロボレンズの光の状態を変える部分を、他の部分よりも光を透過しにくくする肉厚形状に形成したため、自分撮りの際において、ストロボ発光部からの光をストロボレンズの肉厚形状部により外部に透過しにくくして、請求項１記載の発明のように、操作者自身へのストロボ照射をソフトな光にすることができる。
【図面の簡単な説明】
【図１】本発明を適用した第１の実施の形態例としてのストロボ付きカメラを示すもので、撮像レンズ部を前方へ向けた状態を示した正面図である。
【図２】図１のカメラをストロボレンズ部分で縦断して概略構成を示した破断側面図である。
【図３】図１のカメラにおいて、撮像レンズ部を操作者側へ向けてモニタ部を開いた状態を示した背面図である。
【図４】図３のカメラをストロボレンズ部分で縦断して概略構成を示した破断側面図である。
【図５】ストロボレンズの変形例を示すもので、図２と同様の向きから見た破断側面図である。
【図６】ストロボレンズの変形例を示すもので、図４と同様の向きから見た破断側面図である。
【図７】本発明を適用した第２の実施の形態例としてのストロボ付きカメラを示すもので、撮像レンズ部を前方へ向けた状態を示した正面図である。
【図８】図７のカメラをストロボレンズ部分で縦断して内部を省略して示した破断側面図である。
【図９】図８のストロボレンズと内部のストロボ発光部の構成を拡大して示すもので、（ａ）はストロボ発光部が前向きの状態を示した一部破断の側面図、（ｂ）はストロボ発光部が上向きの状態を示した一部破断の側面図、（ｃ）はストロボ発光部が下向きの状態を示した一部破断の側面図である。
【符号の説明】
１  カメラ本体
２  モニタ部
３  液晶表示パネル
４  グリップ部
５  撮像レンズ部
６  回転部
７  ストロボ
８  ストロボレンズ
８ａ  レンズ部
８ｂ  光拡散部
９  ストロボ発光部
９ａ  発光管
９ｂ  反射板
１０  ストロボレンズ
１０ａ  肉薄部
１０ｂ  肉厚部
１１  カメラ本体
１２  レンズブロック
１３  撮像レンズ部
１４  ストロボ
１５  ストロボレンズ
１６  ストロボ発光部
１６ａ  発光管
１６ｂ  反射板
１６ｃ  反射板ステイ
１７  レンズブロック回転軸
１８  回転検出手段
１９  駆動手段
２０，２１，２２  歯車
【図１】
0003743813.tif 000002
【図２】
0003743813.tif 000003
【図３】
0003743813.tif 000004
【図４】
0003743813.tif 000005
【図５】
0003743813.tif 000006
【図６】
0003743813.tif 000007
【図７】
0003743813.tif 000008
【図８】
0003743813.tif 000009
【図９】
0003743813.tif 000010